(57)【要約】【課題】煩雑な操作を行なうことなく、簡素かつ安価な制御構成により設定対象装置で正確な番組予約の記録や再生出力が確実に行なえる従来にない新規な携帯型端末装置を提供する。【解決手段】携帯側時刻補正部１７により受信した時刻情報に基づき内蔵の携帯側時計部１６の時刻を自動補正し、制御部１８、ＩＲ送信部１９により、番組予約の設定操作に基づいて指定された放送番組の予約情報を設定対象装置３に無線出力して設定し、番組予約の設定操作に基づいて携帯側時計部１６の時刻情報を設定対象装置３に無線出力し、設定対象装置３の設定側時計部３０８の予約動作の基準時刻を携帯側時計部１６の時刻情報の時刻に補正する。【選択図】図１
2008054003.tif 000002
【特許請求の範囲】
【請求項１】
受信した時刻情報に基づき内蔵の携帯側時計部の時刻を自動補正する携帯時刻補正手段と、番組予約の設定操作に基づき、指定された放送番組の予約情報を番組受信機能及び予約処理機能を有する設定対象装置に無線出力して設定する予約設定手段と、前記番組予約の設定操作に基づき、前記携帯側時計部の時刻情報を前記設定対象装置に無線出力し、前記設定対象装置の設定側時計部の予約動作の基準時刻を前記携帯側時計部の時刻情報の時刻に補正する時刻情報出力手段とを備えたことを特徴とする携帯型端末装置。
【請求項２】
前記携帯時刻補正手段、前記予約設定手段、前記時刻情報出力手段は時刻自動補正機能を有する携帯電話機により形成され、前記携帯電話機は指定された放送番組の前記予約情報、前記携帯側時計部の時刻情報を前記設定対象装置に赤外線送信して無線出力することを特徴とする請求項１記載の携帯型端末装置。
【請求項３】
前記時刻情報出力手段は、少なくとも前記番組予約の設定操作が行なわれたとき及び指定された放送番組の設定時間前それぞれに前記携帯側時計部の最新の時刻情報を前記設定対象装置に無線出力することを特徴とする請求項１又は２に記載の携帯型端末装置。
【請求項４】
請求項１乃至３のいずれか１項に記載の携帯型端末装置が形成する携帯側装置と前記設定対象装置が形成する記録側装置とを備え、該記録側装置は、前記携帯側装置が無線出力した前記予約情報、前記携帯側時計部の時刻情報を受信する情報受信手段と、前記設定側時計部の時刻を前記情報受信手段が受信した最新の前記携帯側時計部の時刻情報の時刻に補正する設定側時刻補正手段と、前記情報受信手段が受信した前記予約情報に基づいて前記指定された放送番組の受信記録の待機状態に制御し、前記設定側時計部の時刻が予約時刻になったときに前記待機状態を解除して指定された放送番組の前記受信記録に制御する制御手段とを有することを特徴とする予約処理システム。
【請求項５】
請求項１乃至３のいずれか１項に記載の携帯型端末装置が形成する携帯側装置と前記設定対象装置が形成する受信再生側装置とを備え、該受信再生側装置は、前記携帯側装置が無線出力した前記予約情報、前記携帯側時計部の時刻情報を受信する情報受信手段と、前記設定側時計部の時刻を前記情報受信手段が受信した最新の前記携帯側時計部の時刻情報の時刻に補正する設定側時刻補正手段と、前記情報受信手段が受信した前記予約情報に基づいて前記指定された放送番組の受信再生出力の待機状態に制御し、前記設定側時計部の時刻が予約時刻になったときに前記待機状態を解除して指定された放送番組の前記受信再生出力に制御する制御手段とを有することを特徴とする予約処理システム。
【発明の詳細な説明】
【技術分野】
【０００１】
本発明は、設定対象装置に放送番組の受信記録や受信再生出力の予約設定を行なう携帯型端末装置及び前記設定対象装置、前記携帯型端末装置が形成する予約処理システムに関し、詳しくは、設定対象装置の予約動作の時刻ずれの補正の処理に関する。
【背景技術】
【０００２】
従来、ビデオテープレコーダ、ＨＤＤレコーダ、ＤＶＤレコーダ等の映像や音声の受信記録装置や、テレビ受信装置、ラジオ受信装置等の映像や音声の受信再生装置、更にはそれらの複合装置には、テレビやラジオの番組予約の機能、すなわち、予約した時刻に予約した番組を自動的に受信し、ビデオテープ、ＨＤＤ等の記録媒体に記録し、又は、液晶やプラズマのディスプレイ装置に再生表示したりスピーカから音声出力して再生出力する機能を備えたものがある。
【０００３】
そして、これらの番組予約の機能を備える場合、予約された番組をできるだけ正確に記録等するためには、何らかの方法で装置に内蔵した時計部の予約動作の基準時刻のずれを補正し、精度の高いタイミングで記録等を開始する必要がある。
【０００４】
前記時計部の時刻のずれを補正する手法として、従来、電子番組表（ＥＰＧ）から事前に番組開始時刻を把握した放送番組（時刻補正用番組）の受信開始を検出し、その検出時刻を前記番組開始時刻として前記時計部の時刻ずれを検出し、そのずれを補正することが提案されている（例えば、特許文献１参照。）。
【０００５】
又、ビデオカセットレコーダのリモートコントローラーにより、標準電波から標準時刻情報を受信して取り込み、リモートコントローラーの時計部を前記標準時刻情報の時刻に自動的に補正し、前記時計部が予約録画の開始時刻になると、リモートコントローラーから本願発明の設定対象装置に相当する本体装置側に予約録画開始を指令し、予約された番組を正確に録画することが提案されている（例えば、特許文献２参照。）。
【特許文献１】特開２００５−２０４２６５号公報（要約書、段落［００１３］−［００００１４］、図１等）
【特許文献２】特開２００１−１６９３６５号公報（要約書、段落［０００６］−［０００７］、［００１３］−［００２５］、図１、図３等）
【発明の開示】
【発明が解決しようとする課題】
【０００６】
前記特許文献１に記載のように時刻補正用番組を受信して時計部の時刻の補正を行なう場合、何らかの原因でその番組の放送が中止されたり放送時間が変更になったりすると、時計部の補正が行なえなくなり、場合によっては、誤った補正によって時計部の時刻が却ってずれたりし、正確な番組予約の記録や再生出力が確実に行なえない問題がある。しかも、番組開始時刻が既知の時刻補正用番組を事前に調べて指定する等の煩雑な操作が必要になる問題もある。
【０００７】
又、前記特許文献２に記載のように予約時刻にリモートコントローラーから本体装置側に録画開始の指令を出力して番組の予約録画を行なう場合は、本来はリモートコントローラーからの操作情報（キーコード）にしたがって本体装置側で行なわれる予約録画の制御、具体的には、録画の開始や終了の制御及び受信チャンネルや録画モード等の制御を本願発明の携帯型端末装置に対応するリモートコントローラーで行なわなければならず、リモートコントローラーの制御処理が極めて複雑になり、リモートコントローラーが複雑かつ高価になる。しかも、本体装置側での操作設定に基づく同様の予約録画等の制御を行なうためにリモートコントローラーの制御機能と同じ機能を本体装置側も備える必要があり、リモートコントローラー及び本体装置が形成する予約処理システム全体の制御の簡素化やコストダウンが図られない問題もある。
【０００８】
本発明は、番組開始時刻が既知の時刻補正用番組を事前に調べて指定する等の煩雑な操作を行なうことなく、簡素かつ安価な制御構成により設定対象装置で正確な番組予約の記録や再生出力が確実に行なえる従来にない新規な携帯型端末装置を提供することを目的とし、さらには、この携帯型端末装置と設定対象装置とが形成する新規な予約処理システムの具体的な構成を提供することを目的とする。
【課題を解決するための手段】
【０００９】
上記の目的を達成するために、本発明の携帯型端末装置は、受信した時刻情報に基づき内蔵の携帯側時計部の時刻を自動補正する携帯時刻補正手段と、番組予約の設定操作に基づき、指定された放送番組の予約情報を番組受信機能及び予約処理機能を有する設定対象装置に無線出力して設定する予約設定手段と、前記番組予約の設定操作に基づき、前記携帯側時計部の時刻情報を前記設定対象装置に無線出力し、前記設定対象装置の設定側時計部の予約動作の基準時刻を前記携帯側時計部の時刻情報の時刻に補正する時刻情報出力手段とを備えたことを特徴としている（請求項１）。
【００１０】
そして、前記携帯時刻補正手段、前記予約設定手段、前記時刻情報出力手段は時刻自動補正機能を有する携帯電話機により形成され、前記携帯電話機は指定された放送番組の前記予約情報、前記携帯側時計部の時刻情報を前記設定対象装置に赤外線送信して無線出力することが好ましい（請求項２）。
【００１１】
又、前記時刻情報出力手段は、少なくとも前記番組予約の設定操作が行なわれたとき及び指定された放送番組の設定時間前それぞれに前記携帯側時計部の最新の時刻情報を前記設定対象装置に無線出力することが望ましい（請求項３）。
【００１２】
次に、本発明の予約処理システムは、請求項１乃至３のいずれか１項に記載の携帯型端末装置が形成する携帯側装置と前記設定対象装置が形成する記録側装置とを備え、該記録側装置は、前記携帯側装置が無線出力した前記予約情報、前記携帯側時計部の時刻情報を受信する情報受信手段と、前記設定側時計部の時刻を前記情報受信手段が受信した最新の前記携帯側時計部の時刻情報の時刻に補正する設定側時刻補正手段と、前記情報受信手段が受信した前記予約情報に基づいて前記指定された放送番組の受信記録の待機状態に制御し、前記設定側時計部の時刻が予約時刻になったときに前記待機状態を解除して指定された放送番組の前記受信記録に制御する制御手段とを有することを特徴としている（請求項４）。
【００１３】
又、本発明の予約処理システムは、請求項１乃至３のいずれか１項に記載の携帯型端末装置が形成する携帯側装置と前記設定対象装置が形成する受信再生側装置とを備え、該受信再生側装置は、前記携帯側装置が無線出力した前記予約情報、前記携帯側時計部の時刻情報を受信する情報受信手段と、前記設定側時計部の時刻を前記情報受信手段が受信した最新の前記携帯側時計部の時刻情報の時刻に補正する設定側時刻補正手段と、前記情報受信手段が受信した前記予約情報に基づいて前記指定された放送番組の受信再生出力の待機状態に制御し、前記設定側時計部の時刻が予約時刻になったときに前記待機状態を解除して指定された放送番組の前記受信再生出力に制御する制御手段とを有することを特徴としている（請求項５）。
【発明の効果】
【００１４】
請求項１の発明によれば、携帯時刻補正手段により携帯側時計部の時刻は受信した時刻情報に基づいて自動補正されて正確である。
【００１５】
そして、番組予約の設定操作が行なわれると、予約設定手段が指定された放送番組の予約情報を設定対象装置に無線出力して設定する。
【００１６】
更に、補正時刻情報出力手段が正確な携帯側時計部の時刻情報を設定対象装置に無線出力し、設定対象装置の設定側時計部の予約動作の基準時刻を携帯側時計部の時刻情報の正確な時刻に補正する。
【００１７】
そのため、設定対象装置は携帯側時計部の時刻情報の正確な時刻に合わされた設定側時計部の予約動作の基準時刻に基づき、予約情報で指定された放送番組を正確に受信記録又は受信再生出力することができる。
【００１８】
この場合、携帯型端末装置は予約情報及び前記携帯側時計部の時刻情報を設定対象装置に無線出力すればよく、予約録画等の予約処理の制御は設定対象装置側で行なわれる。しかも、番組開始時刻が既知の時刻補正用番組を事前に調べて指定する等の煩雑な操作は不要である。
【００１９】
したがって、番組開始時刻が既知の時刻補正用番組を事前に調べて指定する等の煩雑な操作を行なうことなく、簡素かつ安価な制御構成により設定対象装置で正確な番組予約の記録や再生出力が確実に行なえる従来にない新規な携帯型端末装置を提供することができる。
【００２０】
請求項２の発明によれば、時刻自動補正機能を有する携帯電話機により上記携帯型端末装置を形成して提供することができる。
【００２１】
そのため、携帯電話機を利用して携帯型端末装置を極めて簡単かつ安価に形成し、請求項１の効果を奏することができる。
【００２２】
請求項３の発明によれば、時刻情報出力手段の無線出力に基づき、番組予約の設定操作が行なわれたときだけでなく指定された放送番組の開始直前である設定時間前にも、携帯側時計部の最新の時刻情報に基づいて前記設定側時計部の予約動作の基準時刻を携帯側時計部の時刻情報の正確な時刻に補正することができる。
【００２３】
この場合、番組予約の設定時だけでなく、その番組が実際に放送される直前である所定時間前にも、設定側時計部の予約動作の基準時刻が携帯側時計部の時刻情報の正確な時刻に補正されるので、例えば、番組予約が一乃至数週間前に行なわれて番組予約から該予約によって指定された番組が実際に放送されるまでに長期間かかり、設定側時計部の予約動作の基準時刻が番組予約時から次第にずれてきたとしても、その番組が実際に放送される直前の所定時間前に設定側時計部の予約動作の基準時刻が携帯側時計部の時刻情報の正確な時刻に再度補正され、設定対象装置での正確な番組予約の記録や再生出力が一層確実に行なえる利点がある。
【００２４】
次に、請求項４の発明によれば、請求項１乃至３のいずれか１項に記載の携帯型端末装置が形成する携帯側装置と設定対象装置が形成する記録側装置とを備え、記録側装置が情報受信手段、設定側時刻補正手段、制御手段を有する具体的な構成の予約処理システムにより、携帯側装置の番組予約操作に基づき、記録側装置に受信記録する番組を予約すると共に記録側装置の予約動作の基準時刻を携帯側時計部の正確な時刻に補正し、記録側装置側で正確な番組予約の記録を確実に行なうことができる。
【００２５】
この場合、携帯側装置は予約情報及び前記携帯側時計部の時刻情報を記録側装置に無線出力すればよく、予約動作（受信記録）の制御は記録側装置で行なわれるため、携帯側装置は予約動作の制御機能を備えなくてよく、予約処理システム全体の制御の簡素化やコストダウンを図ることができる。
【００２６】
又、請求項５の発明によれば、請求項４の記録側装置を受信再生側装置に代えた構成の予約処理システムにより、携帯側装置の番組予約操作に基づき、受信再生側装置に受信再生出力する番組を予約すると共に受信再生側装置の予約動作の基準時刻を携帯側時計部の正確な時刻に補正し、受信再生側装置で正確な番組予約の受信表示等の受信再生出力を確実に行なうことができる。
【００２７】
この場合も、携帯側装置は予約情報及び前記携帯側時計部の時刻情報を記録側装置に無線出力すればよく、予約動作（受信再生出力）の制御は受信再生側置で行なわれるため、携帯側装置は予約動作の制御機能を備えなくてよく、予約処理システム全体の制御の簡素化やコストダウンを図ることができる。
【発明を実施するための最良の形態】
【００２８】
次に、本発明をより詳細に説明するため、その一実施形態について、図１〜図６にしたがって詳述する。
【００２９】
図１は携帯型端末装置１が形成する携帯側装置２と設定対象装置３が形成する記録側装置４とを備えた予約処理システムのブロック図、図２は携帯型端末装置１の詳細なブロック図である。
【００３０】
図３は携帯型端末装置１が送信出力する赤外線信号の説明図、図４は携帯型端末装置１の番組予約説明用のフローチャート、図５は番組予約における携帯型端末装置１の表示画面変化の説明図、図６は設定対象装置３の番組予約に伴う時刻補正説明用のフローチャートである。
【００３１】
（携帯側装置２としての携帯型端末装置１の構成）
携帯型端末装置１は本実施形態においては時刻自動補正機能を有する携帯電話機からなり、周知の携帯電話機と同様、図１に示すように、扁平な矩形筐体１１の正面側の下半分に操作部１２が設けられ、矩形筐体１１の正面側の上半分に小型液晶ディスプレイ構成のモニタ表示部１３が設けられている。尚、操作部１２には多機能操作ボタン１２ａ及び複数個の通常操作ボタン１２ｂが設けられている。
【００３２】
又、矩形筐体１１の内部のバッテリ電源で動作する回路ブロックは概略図２に示すように構成され、同図において、１４は電話機部であり、送話電波の信号等を送信アンテナ１５ａに出力する送信部１４ａと、受信アンテナ１５ｂの受話電波やＧＰＳ電波等の受信電波の信号が入力される受信部１４ｂとを備える。１６は内蔵の携帯側時計部、１７は携帯時刻補正手段を形成する携帯側時刻補正部であり、例えば受信部１４ｂが定期的に受信したＧＰＳの時刻情報に基づき、携帯側時計部１６の時刻を自動的にＧＰＳの時刻情報の時刻に補正する。
【００３３】
１８は携帯型端末装置１の全体動作を制御する制御部であり、周知の携帯電話機の制御部と最も異なる点は後述の予約設定・時刻情報出力の制御処理の機能が付加された点である。尚、携帯側時計部１６、携帯側時刻補正部１７、制御部１８は、実際にはマイクロコンピュータによって形成される。
【００３４】
１９は赤外線送信部（以下、ＩＲ送信部という）であり、制御部１８と共に予約設定手段及び時刻情報出力手段を形成し、操作部１２の番組予約の設定操作に基づき、指定された放送番組の予約情報の赤外線信号及び、携帯側時計部１６の時刻情報の赤外線信号を設定対象装置３に無線出力する。
【００３５】
尚、前記赤外線信号は、周知の赤外線リモートコントローラの赤外線信号と同様であり、例えば図３に示すように、先頭にリーダコードαを有し、このリーダコードαの次に、所定ビット数にコード化された放送番組の予約情報のデータコードβａ又は携帯側時計部１６の時刻情報のデータコードβｂを有するパルス列信号を所定の赤外線周波数で変調して形成される。
【００３６】
又、放送番組の予約情報の赤外線信号は番組予約の設定操作が行なわれたときに送信され、携帯側時計部１６の時刻情報の赤外線信号は番組予約の設定操作が行なわれたときだけ送信してもよいが、本実施形態の場合、少なくとも番組予約の設定操作が行なわれたとき及び指定された放送番組の例えば数分程度の設定時間前それぞれに送信される。尚、携帯側時計部１６の時刻情報の赤外線信号は番組予約の設定操作が行なわれたとき及び指定された放送番組の例えば数分程度の設定時間前に送信するだけでなく、番組予約の設定操作後一定間隔で複数回間欠的に送信するようにしてもよい。
【００３７】
（記録側装置４としての設定対象装置３の構成）
記録側装置４としての設定対象装置３は本実施形態においては例えばＨＤＤレコーダからなり、図１に示すように、テレビ受信装置が形成する表示部５、スピーカシステム６にケーブル接続されて使用される。
【００３８】
同図１において、３００は例えばテレビ放送のアンテナ７に接続されたテレビ放送受信用のチューナ部であり、選局指定されたチャンネルの放送番組を受信する。３０１はチューナ部３００に接続された映像／音声信号処理部であり、前記チャンネルの映像信号、音声信号を再生し、それらの複合信号を制御部３０２を介して記録媒体のＨＤＤ３０３に送り、ＨＤＤ３０３に記録すると共に、前記映像信号を表示部５に供給して記録中の映像をモニタ表示し、前記音声信号をスピーカシステム６に供給して記録中の音声をモニタ出力する。
【００３９】
３０４は赤外線受信部（以下、ＩＲ受信部という）であり、携帯型端末装置１のＩＲ送信部１９から無線出力された赤外線信号を受信（受光）する。３０５はＩＲ受信部３０４が受信した赤外線信号のコードを判別するコード判別部であり、ＩＲ受信部３０４と共に情報受信手段を形成し、携帯型端末装置１（携帯側装置２）が無線出力した予約情報、携帯側時計部１６の時刻情報を認識する。
【００４０】
３０６は予約情報保持部であり、コード判別部３０５が認識した予約情報であって番組予約の設定操作で指定された放送番組の記録の予約情報、例えば、記録するテレビ放送のチャンネル、記録開始時刻・終了時刻、記録モード等の情報を書き換え自在に保持する。
【００４１】
３０７は時刻情報保持部であり、コード判別部３０５が認識した最新の時刻情報を書き換え自在に保持する。３０８は設定側時計部であり、例えば装置内の動作クロック信号をカウントして予約動作（予約記録）の基準時刻を計時する。３０９は設定側時刻補正手段を形成する設定側時計補正部であり、時刻情報保持部３０７が新たな時刻情報を保持する毎に、設定側時計部３０８の時刻を時刻情報保持部３０７の最新の時刻情報の時刻に補正し、設定側時計部３０８の時刻のずれを補正する。
【００４２】
そして、設定対象装置３の破線で囲まれた制御部３０２、コード判別部３０５、…、設定側時計補正部３０９は実際にはマイクロコンピュータによって形成されている。
【００４３】
又、制御手段を形成する制御部３０２はメモリ３１０に保持されている予約動作の制御プログラム等の各種の制御プログラムを実行し、ＩＲ受信部３０４が受信した予約情報に基づいて指定された放送番組の受信記録の待機状態（換言すれば、いわゆるタイマ録画の待機状態）に制御し、設定側時計部３０８の時刻が予約時刻（開始時刻）になったときに前記待機状態を解除して指定された放送番組の受信記録に制御し、チューナ部３００を指定された放送番組の受信に制御してチューナ部３００の受信番組の映像、音声を予約終了時刻までＨＤＤ３０３に記録する。
【００４４】
（動作）
上記構成に基づき、図１の予約処理システムは、予約記録を行なう際、次に説明するように動作する。
【００４５】
まず、携帯型端末装置１（携帯側装置２）は、とくに携帯電話機で形成される場合、ユーザーが常時は携帯電話機として使用する。
【００４６】
そして、例えば表示部５のテレビ番組の鑑賞等によって予約記録したい放送番組が生じると、設定対象装置３の付属のリモートコントローラーのように扱うことにより、携帯型端末装置１は図４のステップＡ１〜Ａ１５に示すように動作する。
【００４７】
すなわち、図４のステップＡ１によりユーザーは携帯型端末装置１の操作部１２の操作で携帯型端末装置１を放送番組の予約モードに設定する。具体的には、まず、操作部１２の例えば多機能操作ボタン１２ａを操作して携帯型端末装置１を動作選択のメニューモードにしてモニタ表示部１３に図５のメニュー画面Ｐａを表示し、更に、多機能操作ボタン１２ａを操作し、メニュー画面Ｐａの三角印のカーソルを「予約」に移動して「予約」を選択し、等価的に予約モードの設定キーを操作して予約モードに設定する。このとき、モニタ表示部１３に図５の「予約」の一覧画面Ｐｂを表示して例えば「予約１」を選択し、「予約１」に今回の番組予約を行なう。
【００４８】
次に、図４のステップＡ２によりユーザーは携帯型端末装置１の操作部１２を操作して所望の放送番組の予約情報を「予約１」に入力する。具体的には、例えば携帯型端末装置１を携帯電話機として操作し、その放送番組のＥＰＧや番組コード等を入手するか、新聞のテレビ欄等を見て番組コードを操作入力することで、その放送番組の予約情報を携帯型端末装置１の「予約１」に一時的に保持する。このとき、モニタ表示部１３に図５の「予約１」の予約情報画面Ｐｃが表示される。
【００４９】
次に、予約情報画面Ｐｃから予約情報を確認したユーザーは、図４のステップＡ３の予約の確定操作を行い、ステップＡ４により「予約１」の予約内容を確定して記憶保持する。具体的には、予約情報画面Ｐｃの「確定」を選択することで等価的に予約の確定キー操作を実行し、予約内容を確定する。このとき、モニタ表示部１３に図５の「予約１」の確定選択画面Ｐｄが表示される。
【００５０】
このようにして、指定された放送番組の予約情報が確定すると、制御部１８は図４のステップＡ５〜Ａ７を実行し、携帯側時計部１６の時刻情報を最新の情報に更新して補正する。具体的には、携帯側時計部１６の時刻情報の直前の自動補正が設定した時間前に行なわれていなければ、ステップＡ５からステップＡ６に移行し、ＧＰＳの時刻情報を受信して携帯側時計部１６の時刻情報を最新の正しい時刻情報に補正する。そして、ステップＡ７により携帯側時計部１６の最新の正しい時刻情報を制御部１８に取り込む。
尚、携帯側時計部１６の時刻情報が定期的に自動補正される携帯電話機の場合等には、ステップＡ５、Ａ６の補正の処理を省いてもよいのは勿論である。
【００５１】
次に、図４のステップＡ８、Ａ９により、確定した内容の予約情報及び携帯側時計部１６の最新の正しい時刻情報をＩＲ送信部１９から設定対象装置３のＩＲ受信部３０４に赤外線で無線送信し、その後、図４のステップＡ１０に移行して予約設定を完了する。このとき、モニタ表示部１３に図５の「予約１」の予約完了画面Ｐｅが表示される。
【００５２】
次に、この状態で例えば数時間又は数日又は数週間が経過し、「予約１」に設定された予約開始時刻の設定時間（数分程度）前になると、制御部１８が図４のステップＡ１１からステップＡ１２に移行し、ステップＡ１２〜Ａ１４により、ステップＡ５〜Ａ７と同様にして携帯側時計部１６の時刻情報を最新の正しい時刻情報に補正する。
【００５３】
そして、ステップＡ１４からステップＡ１５に移行し、ステップＡ９と同様にして携帯側時計部１６の最新の正しい時刻情報をＩＲ送信部１９から設定対象装置３のＩＲ受信部３０４に赤外線で無線送信し、「予約１」の番組予約の一連の処理を終了する。このとき、モニタ表示部１３に図５の最終画面Ｐｆが表示される。
【００５４】
一方、設定対象装置３が形成する記録側装置４は、制御部３０２によって他の制御処理のプログラムと共に図６のステップＢ１〜Ｂ８の番組予約に伴う時刻補正のプログラムを実行し、図４のステップＡ８によって携帯型端末装置１が無線送信した予約情報の赤外線信号をＩＲ受信部３０４が受信すると、図６のステップＢ１からステップＢ２に移行して図４のステップＡ９で無線送信された携帯側時計部１６の時刻情報の受信を待機する。
【００５５】
そして、番組予約の受信から設定時間内にＩＲ受信部３０４が携帯側時計部１６の時刻情報を受信すると、図６のステップＢ２からステップＢ３に移行し、設定側時刻補正部３０９によって設定側時計部３０８の時刻を受信した最新の正確な時刻に補正する。
【００５６】
更に、図６のステップＢ４に移行して予約設定を完了し、設定対象装置３全体を予約情報によって指定された放送番組の受信記録の待機状態にし、設定側時計部３０８の補正された時刻を予約記録の基準時刻として前記指定された放送番組の開始時刻を監視する。又、その放送開始直前の時刻補正を待機する。
【００５７】
そして、設定側時計部３０８の予約記録の基準時刻によって前記指定された放送番組の開始数分前になったときは時刻情報の再受信を監視する状態になり、この状態において、図４のステップＡ１５で無線送信された携帯側時計部１６の時刻情報をＩＲ受信部３０４が受信すると、図６のステップＢ５からステップＢ６に移行して設定側時計部３０８の時刻を受信した最新の正確な時刻に再度補正し、番組予約操作から設定側時計部３０８の時刻が指定された放送番組の開始時刻になるまでの間の設定側時計部３０８の時刻のずれを再度修正する。
【００５８】
尚、図６のステップＢ１での番組予約の受信から設定時間内に携帯側時計部１６の時刻情報を受信しなければ、時刻の補正は行われないと判断し、同図のステップＢ２からステップＢ７に移行して予約設定を完了し、設定対象装置３全体を放送番組の受信記録の待機状態にして時刻補正を終了する。又、予約された指定の放送番組が実際に放送される直前になったときには、ユーザが携帯型端末装置１を携帯して不在にするようなこともあるため、図６のステップＢ５で設定時間経過したときには同ステップＢ５からステップＢ８に移行して予約設定を完了し、設定対象装置３全体を放送番組の受信記録の待機状態にして時刻補正を終了する。
【００５９】
したがって、本実施形態の場合は、番組予約の設定時だけでなく、その番組が実際に放送される直前である所定時間前にも、設定側時計部３０８の予約動作の基準時刻を携帯側時計部１６の最新の時刻情報に基づく正確な時刻に自動補正することができ、例えば、番組予約が一乃至数週間前に行なわれて番組予約から指定されたその番組が実際に放送されるまでの時間が長く、設定側時計部３０８の予約動作の基準時刻が番組予約時から次第にずれてきたとしても、その番組が実際に放送される直前に設定側時計部３０８の予約動作の基準時刻を携帯側時計部１６の時刻情報の正確な時刻に再度補正し、設定対象装置３による番組予約の記録を極めて正確かつ確実に行うことができる。
【００６０】
したがって、本実施形態の場合、携帯側装置２を形成する携帯型端末装置１は、番組開始時刻が既知の時刻補正用番組を事前に調べて指定する等の煩雑な操作を行なうことなく、予約情報及び時刻情報を無線送信する簡素かつ安価な制御構成により、設定対象装置３で正確な番組予約の記録や再生出力が確実に行なえる。更に、携帯電話機を利用することで携帯型端末装置１を極めて簡単かつ安価に形成することができ、携帯電話機に新たな機能を付加することができる。
【００６１】
又、携帯側装置２及び記録側装置４が構成する予約処理システム全体については、携帯側装置２を形成する携帯型端末装置１は、予約情報及び携帯側時計部１６の時刻情報を、記録側装置４を形成する設定対象装置３に無線出力すればよく、この場合、予約動作（受信記録）の制御は記録側装置４で行なわれるため、携帯側装置２は予約動作の制御機能（予約記録の処理機能）を備えなくてよく、予約処理システム全体の制御の簡素化やコストダウンを図ることができる。
【００６２】
そして、本発明は上記した実施形態に限定されるものではなく、その趣旨を逸脱しない範囲において上述したもの以外に種々の変形実施を行なうことが可能である。
【００６３】
例えば、携帯型端末装置１は時刻自動補正機能を有する携帯電話機により形成されなくてもよく、前記携帯時刻補正手段、前記予約設定手段、前記時刻情報出力手段が時刻自動補正機能を有する携帯電話機で形成されていなくてもよいのはもちろんである。
【００６４】
次に、設定対象装置３はテレビ受信機のような番組予約の受信再生機能を備えた受信再生側装置であってもよく、設定対象装置３が受信再生側装置を形成する場合、設定対象装置３の制御手段は、情報受信手段であるＩＲ受信部３０４が受信した予約情報に基づいて設定対象装置３を指定された放送番組の受信再生出力の待機状態に制御し、設定側時計部３０８の時刻が予約時刻になったときに前記待機状態を解除して指定された放送番組の受信再生出力すなわち画面表示及び音声出力に制御すればよい。
【００６５】
又、設定対象装置３はＣＤレコーダ、音声出力システムのような音声の受信記録、受信再生出力を行うものであってもよい。
【００６６】
すなわち、設定対象装置３は種々の映像・音声の記録装置、再生装置であってよい。
【００６７】
そして、携帯型端末装置１、設定対象装置３の各部の構成等はどのようであってもよく、又、携帯型端末装置１の無線出力は赤外線を媒体とするものに限られるものではなく、音波や電磁波（光を含む）を媒体とする種々の構成のものであってもよい。
【図面の簡単な説明】
【００６８】
【図１】本発明の一実施形態の予約処理システムのブロック図である。
【図２】同上、予約処理システムの携帯側装置を形成する携帯型端末装置の詳細なブロック図である。
【図３】同上、携帯型端末装置が送信出力する赤外線信号の説明図である。
【図４】同上、携帯型端末装置の番組予約説明用のフローチャートである。
【図５】同上、番組予約における携帯型端末装置の表示画面変化の説明図である。
【図６】同上、設定対象装置の番組予約に伴う時刻補正説明用のフローチャートである。
【符号の説明】
【００６９】
１    携帯型端末装置
２    携帯側装置
３    設定対象装置
４    記録側装置
１６    携帯側時計部
１７    携帯側時刻補正部
１８、３０２    制御部
１９    ＩＲ送信部
３０４    ＩＲ受信部
３０８    設定側時計部
３０９    設定側時刻補正部
【図１】
2008054003.tif 000003
【図２】
2008054003.tif 000004
【図３】
2008054003.tif 000005
【図４】
2008054003.tif 000006
【図５】
2008054003.tif 000007
【図６】
2008054003.tif 000008